(57)【要約】      （修正有）【課題】使用する際に便利で、美しい外観を有し、且つ多機能を有するタッチ式透明キーボードを提供する。【解決手段】本タッチ式透明キーボードは、タッチパレット１０と、文字情報を閲読するために用いられるレンズ５５が設けられた透明基板５０と、前記タッチパレットと前記透明基板との間に介在し、且つ空白の観察エリア３５を有するキーシート３０とを備える。前記レンズが、前記観察エリアに対応して前記透明基板に設けられる。【選択図】図１
0003169216.tif 000002
【実用新案登録請求の範囲】
【請求項１】
タッチパレットと、
文字情報を閲読するために用いられるレンズが設けられた透明基板と、
前記タッチパレットと前記透明基板との間に介在し、且つ空白の観察エリアを有するキーシートと、を備え、
前記レンズが、前記観察エリアに対応して前記透明基板に設けられることを特徴とするタッチ式透明キーボード。
【請求項２】
前記タッチパレットは制御モジュールをさらに備え、前記キーシートには、複数のキーアイコン及び前記キーアイコンに電気的に接続される駆動回路が設けられ、
前記駆動回路は、前記制御モジュールからの制御信号を受けると、前記キーアイコンを発光させ、前記キーアイコンが前記タッチパレットを透過して表示されることを特徴とする請求項１に記載のタッチ式透明キーボード。
【請求項３】
前記透明基板の背面には、２つの透明支持体が対称的に突設され、前記レンズが１つの透明支持体に近接して設けられることを特徴とする請求項１又は２に記載のタッチ式透明キーボード。
【請求項４】
各透明支持体は、前記透明基板の表面から突出する柱体と、前記柱体に伸縮可能に螺着されるスリーブと、を備えることを特徴とする請求項３に記載のタッチ式透明キーボード。
【考案の詳細な説明】
【技術分野】
【０００１】
本考案は、タッチ式キーボードに関し、特に透明なタッチ式キーボードに関するものである。
【背景技術】
【０００２】
キーボードは、主な入力デバイスとして、電子装置にとって不可欠な外付け部品である。従来のキーボードは通常、複数の独立したキー支持部及びキートップから構成される。前記キーボードを利用してコンピューターに情報を入力する場合、大きな力で前記キートップをクリックしなければならない。従って、ユーザーが長時間クリックすると、疲労を感じ易い。しかも現在、このようなキーボードは、機能があまりにも単一で、消費者の電子製品に対する多様したニーズを満たさない。
【考案の概要】
【考案が解決しようとする課題】
【０００３】
本考案は、上記の問題点を考慮してなされたものであり、使用する際に便利で、美しい外観を有し、且つ多機能を有するタッチ式透明キーボードを提供することを目的とする。
【課題を解決するための手段】
【０００４】
前記課題を解決するために、本考案に係るタッチ式透明キーボードは、タッチパレットと、文字情報を閲読するために用いられるレンズが設けられた透明基板と、前記タッチパレットと前記透明基板との間に介在し、且つ空白の観察エリアを含むキーシートと、を備える。前記レンズが、前記観察エリアに対応して前記透明基板に設けられる。
【考案の効果】
【０００５】
従来の技術と比較して、本考案のタッチ式透明キーボードは、タッチパレット構造を採用するため、ユーザーはキートップをクリックすることなく情報を入力することができ、使用する際に便利である。また、前記タッチ式透明キーボードの全体が透明であり、通電する場合に、前記キーアイコンが発光して前記タッチパレットを透過して表示されるため、美しい外観を有する。
【図面の簡単な説明】
【０００６】
【図１】本考案の第一実施形態に係るタッチ式透明キーボードの分解図である。
【図２】図１に示したタッチ式透明キーボードのタッチパレットの断面構造を示す図である。
【図３】図１に示したタッチ式透明キーボードの透明基板の背面図である。
【図４】本考案の第二実施形態に係るタッチ式透明キーボードの透明基板の背面図である。
【図５】本考案の第一及び二実施形態に係るタッチ式透明キーボードが通電する際の使用状態図である。
【考案を実施するための形態】
【０００７】
図１に示したように、本考案の好適な実施形態に係るタッチ式透明キーボード１００は、コンピューター或いはプリンターなどの電子装置の入力設備として使用され、タッチパレット１０、キーシート３０及び透明基板５０を備える。前記キーシート３０は、前記タッチパレット１０と前記透明基板５０との間に介在されている。
【０００８】
図２を参照すると、前記タッチパレット１０は、透光性を有し且つ透明な静電容量式タッチパレットであって、透明保護層１２、第一導電層１４、透明基体１６、第二導電層１７、電源線１８及び制御モジュール１９を備える。前記透明保護層１２、第一導電層１４、透明基体１６及び第二導電層１７は、上から下に順次積層して配置されている。本実施形態において、前記透明保護層１２は、シリカ或いはポリエチレンテレフタレート（ＰＥＴ）薄膜から製作されてなる。前記第一導電層１４は、位置を測定するための機能層として、インジウム錫酸化物（ＩＴＯ)、アルミニウム酸化物添加亜鉛酸化物（ＺＡＯ)或いは酸化カドミウム（ＣｄＯ）などの透明導電材料からなる。前記透明基体１６は、ガラス或いは透明プラスチック板である。前記第二導電層１７も透明導電材料からなり、この第二導電層１７はマスキング層として、前記タッチパレット１０が静電気或いは電磁波に干渉されることを防ぎ、前記タッチパレット１０に理想的な動作環境を提供する。前記電源線１８は、前記タッチパレット１０の側辺に電気的に接続される。前記制御モジュール１９は集積チップであって、前記電源線１８上に固定され、且つ軟性ケーブル（図示せず）を介して前記第一導電層１４、第二導電層１７及び前記電源線１８に電気的に接続される。ユーザーの指先などが前記タッチパレット１０の透明保護層１２に接触する瞬間に、指先と前記タッチパレット１０との間には静電容量が発生する。従って、前記制御モジュール１９は、電流の変化を測定して、接触位置の座標を判断すると共に対応する指令情報を発生し、且つこの指令情報をコンピューターなどの端末設備に伝送する。
【０００９】
前記キーシート３０は、前記タッチパレット１０の前記透明保護層１２から離れている片側に貼着されており、薄膜３２、複数のキーアイコン３４、観察エリア３５及び駆動回路３６を備える。前記キーアイコン３４及び前記駆動回路３６は、前記薄膜３２の前記タッチパレット１０に対面する表面或いは前記薄膜３２の前記タッチパレット１０に背離する表面にコーティングされる。本実施形態において、前記薄膜３２は、ポリエステル薄膜或いはナイロン薄膜（Ｐｏｌｙａｍｉｄｅ，ＰＡ）などの透明材料からなる。前記キーアイコン３４は、電界発光効果を有する透明材料からなり、通電する際に発光して前記タッチパレット１０を透過して標示内容が表示される。前記キーアイコン３４の標示内容を、実際の需要に応じて英文アルファベット、漢字或いは平仮名などに変更することができる。前記キーアイコン３４の情報（例えば、「Ｋ」キーの座標範囲情報及び対応する指令情報）は、予め前記タッチパレット１０の制御モジュール１９内に格納され、且つ前記タッチパレット１０のタッチされる位置にそれぞれ対応している。本実施形態において、前記観察エリア３５は、前記薄膜３２の片隅に形成された空白エリアである。前記駆動回路３６は、前記薄膜３２に透明導電材料をコーティングすることにより、前記キーアイコン３４の外周に設けられ、、且つ電気回線を介して前記キーアイコン３４及び前記制御モジュール１９に電気的に接続される。前記駆動回路３６は、前記キーアイコン３４が発光させるか否かをコントロールする。前記駆動回路３６が前記制御モジュール１９からの制御信号を受けて通電する場合、前記キーアイコン３４は発光して前記タッチパレット１０を透過して表示される。前記駆動回路３６に通電しない場合、前記キーアイコン３４は発光しない。
【００１０】
図３に示したように、本考案の第一実施形態に係る透明基板５０は、全体が略弧状であり、中部が僅かに窪んで、前記キーシート３０及び前記タッチパレット１０を載置するために用いられる。前記透明基板５０は、ガラス或いは透明樹脂などの材料からなり、互いに対向する第一表面５２及び第二表面５４を備える。前記キーシート３０のキーアイコン３４を設けない表面は、前記透明基板５０の第一表面５２に貼着される。前記第二表面５４の前記観察エリア３５に対応する箇所には、レンズ５５（凸レンズが最適である）が設けられている。本実施形態において、前記レンズ５５と前記透明基板５０が一体成型される。ユーザーは、前記レンズ５５を透過してその下方に放置されたファイル或いは新聞などの情報をはっきり閲読できるので、視力が悪い老人にとって、文字情報などを便利に閲読することができ、文字入力の精度を高めた。
【００１１】
前記第二表面５４における前記透明基板５０の１つの長辺に近い箇所には、２つの透明支持体５６が対称的に設けられる。前記レンズ５５と卓上面との間の距離を増加させるため、前記レンズ５５が１つの透明支持体５６に近接して設けられる。各透明支持体５６は、前記第二表面５４から突出する柱体５６１及び前記柱体５６１に螺着されるスリーブ５６３を備える。前記柱体５６１の外周壁及び前記スリーブ５６３の内周壁には、それぞれねじ山５６１０、５６３０が設けられる。前記ねじ山５６１０、５６３０の組合せにより、前記スリーブ５６３を前記柱体５６１に伸縮可能に螺着する。ユーザーは、前記スリーブ５６３を回転させることにより、前記レンズ５５と卓上面との間の距離を調節して、文字などを便利に閲読することにし、文字入力の精度を向上させる。
【００１２】
図４を参照すると、本考案の第二実施形態に係る透明基板７０の第二表面７４には、前記透明基板７０の長さに等しい透明支持体７６が突設されているので、前記タッチ式透明キーボード１００が卓上に設置されると、略傾斜状態を呈する。前記第二表面７４の前記観察エリア３５に対応する箇所には、凸レンズであるレンズ７５が設けられる。ユーザーは、前記レンズ７５を透過してその下方に設置されるファイル、新聞などの文字情報を閲読することができる。
【００１３】
図５に示したように、前記タッチ式透明キーボード１００が通電しない場合に、前記キーアイコン３４は発光しない。即ち、前記タッチパレット１０の上面から前記キーアイコン３４を視認できない。前記タッチ式透明キーボード１００が通電する場合、前記キーアイコン３４は発光して前記タッチパレット１０を透過して表示される。この際、ユーザーが前記タッチパレット１０をタッチすると、前記制御モジュール１９は、タッチされた位置を検知すると共に、このタッチされた位置の座標情報を記録して、前記座標情報と予め格納された前記キーアイコン３４の座標範囲情報とを比較して、タッチされた位置に対応する指令情報を出力する。ユーザーが前記タッチパレット１０をタッチすると同時に、前記レンズ５５、７５を透過して、入力しようとする文字情報をはっきり閲読して、入力速度及び入力精度が向上された。
【００１４】
また、前記タッチ式透明キーボード１００が無線式のキーボードである場合には、前記制御モジュール１９を前記タッチパレット１０の側辺に独立して設けてもよい。或いは、インジウムガリウム（Ｉｎｄｉｕｍ  Ｇａｌｌｉｕｍ）酸化物によって透明な制御モジュール１９を形成して、前記タッチ式透明キーボード１００を完全に透明化してもよい。
【００１５】
また、本考案のタッチパレット１０は、抵抗膜式、表面音波式或いは光学式などのタッチパレットとすることが可能である。
【００１６】
また、前記レンズ５５、７５は前記観察エリア３５に対応して設けられるので、前記観察エリア３５の面積を拡大して、前記レンズ５５、７５のサイズを増大すると、文字情報の閲読範囲が拡大される。
【００１７】
また、本考案の第一実施形態に係るレンズ５５は、粘着の方式で前記透明基板５０の背面に固定される。即ち、前記透明基板５０に収容開口を設けて、粘着剤を介して前記レンズ５５をその中に固定すればよい。
【００１８】
本考案のタッチ式透明キーボード１００は、タッチパレット部材を採用するため、ユーザーはキートップをクリックすることなく情報を入力することができ、使用する際に便利である。また、前記タッチ式透明キーボード１００の全体が透明であり、通電する場合に、前記キーアイコン３４が発光して前記タッチパレットを透過して表示されるため、美しい外観を有する。また、前記タッチ式透明キーボード１００には、レンズ５５、７５が設けられているため、ユーザーが入力する際に、このレンズ５５、７５を透過して文字情報などをはっきり閲読して、入力する際の精度が向上する。即ち、本考案のタッチ式透明キーボード１００の機能が多様化になる。
【００１９】
以上、本考案の好適な実施形態について詳細に説明したが、本考案は前記実施形態に限定されるものではなく、本考案の範囲内で種々の変形又は修正が可能であり、該変形又は修正も、本考案の特許請求の範囲内に含まれるものであることは、いうまでもない。
【符号の説明】
【００２０】
１０        タッチパレット
１２        透明保護層
１４        第一導電層
１６        透明基体
１７        第二導電層
１８        電源線
１９        制御モジュール
３０        キーシート
３２        薄膜
３４        キーアイコン
３５        観察エリア
３６        駆動回路
５０        透明基板
５２        第一表面
５４        第二表面
５５        レンズ
５６        透明支持体
７０        透明基板
７４        第二表面
７５        レンズ
７６        透明支持体
１００      タッチ式透明キーボード
５６１      柱体
５６３      スリーブ
５６１０    ねじ山
５６３０    ねじ山
【図１】
0003169216.tif 000003
【図２】
0003169216.tif 000004
【図３】
0003169216.tif 000005
【図４】
0003169216.tif 000006
【図５】
0003169216.tif 000007